(57)【要約】【課題】  折畳んだベッド本体の一方側の領域部分と他方側の領域部分との開き角度を確実に保持できるとともに、失われることのない保持具を備えた折畳み式ベッドの提供。【解決手段】  丈方向所定位置に配置したヒンジ部を中心として折畳むことが可能なベッド本体と、ヒンジ部を中心として折畳んだベッド本体の一方側の領域部分および他方側の領域部分の開き角度を保持する保持具とを備え、該保持具は、ヒンジ部を中心として折畳んだベッド本体の一方側の領域部分と他方側の領域部分を構成するフレーム部どうしに渡されて前記一方側の領域部と他方側の領域部との開き角度を保持するよう構成され、前記保持具は、前記両フレーム部のうち少なくとも一方のフレーム部の側面に回動可能に装着されている構成の折畳み式ベッド。【選択図】  図４
0003164271.tif 000002
【実用新案登録請求の範囲】
【請求項１】
丈方向所定位置に配置したヒンジ部を中心として折畳むことが可能なベッド本体と、ヒンジ部を中心として折畳んだベッド本体の一方側の領域部分および他方側の領域部分の開き角度を保持する保持具とを備え、
該保持具は、ヒンジ部を中心として折畳んだベッド本体の一方側の領域部分と他方側の領域部分を構成するフレーム部どうしに渡されて前記一方側の領域部と他方側の領域部との開き角度を保持するよう構成され、
前記保持具は、前記両フレーム部のうち少なくとも一方のフレーム部の側面に回動可能に装着されていることを特徴とする折畳み式ベッド。
【請求項２】
保持具は板状に形成されて一方のフレーム部の側面に支軸を介して装着され、保持具の長手方向途中部分に、他方のフレーム部の側面に設けられた係止ピンに上方から係止する被係止凹部が形成されていることを特徴とする請求項１記載の折畳み式ベッド。
【請求項３】
保持具の長手方向途中部分に、前記保持具を装着したフレーム部の側面に設けられた係止ピンに側方から係止する被係止凹部が形成されていることを特徴とする請求項２記載の折畳み式ベッド。
【請求項４】
保持具に、該保持具を回動させる動作を補助するための把持部が設けられていることを特徴とする請求項１ないし請求項３の何れかに記載の折畳み式ベッド。
【請求項５】
保持具は、フレーム部におけるヒンジ部寄りに設けられていることを特徴とする請求項１ないし請求項４の何れかに記載の折畳み式ベッド。
【請求項６】
保持具は、各フレーム部の側面に設けられていることを特徴とする請求項１ないし請求項５の何れかに記載の折畳み式ベッド。
【請求項７】
フレーム部には、スノコが設けられていることを特徴とする請求項１ないし請求項６の何れかに記載の折畳み式ベッド。
【考案の詳細な説明】
【技術分野】
【０００１】
本考案は折畳み式ベッドに関する。
【背景技術】
【０００２】
従来から、丈方向所定位置に配置したヒンジ部を中心として折畳むことが可能なベッド本体を備えた折り畳み式ベッドが提案されている（例えば、下記特許文献１参照）。これに、ヒンジ部を中心として折畳んだベッド本体の一方側の領域部分と他方側の領域部分との開き角度を保持する保持具を備えている。
【０００３】
保持具は、折畳まれたベッド本体の一方側の領域部分と他方側の領域部分を構成するフレーム部に渡されるものであって、各フレーム部の、ヒンジ部寄りの側面所定箇所に保持用孔が形成され、この保持用孔に嵌合するピンを備えた板部材によって構成されている。
【０００４】
この構成によれば、ピンを保持用孔に嵌合するように両フレーム部に板部材を渡すことで、ベッド本体の一方側の領域部分と他方側の領域部分との開き角度を保持することができる。また、板部材を取外すことで、開き角度の保持が解除されるから、ベッド本体を開くことができる。
【先行技術文献】
【特許文献】
【０００５】
【特許文献１】特開２００９−１４８３６４号公報
【考案の概要】
【考案が解決しようとする課題】
【０００６】
しかしながら、上記従来の折畳み式ベッドでは、板部材（保持具）がベッド本体に対して着脱自在になっており、板部材はベッド本体に比べて著しく小さい物であるから、これが失われ易い。また、このような板部材を保管しておき、使用する場合にのみ保管場所から持ち出すという作業は煩わしい。
【０００７】
そこで本考案は、折畳んだベッド本体の一方側の領域部分と他方側の領域部分との開き角度を確実に保持できるとともに、失われることがなく保管も不要な保持具を備えた折畳み式ベッドの提供を目的とする。
【課題を解決するための手段】
【０００８】
本考案の折畳み式ベッドは、丈方向所定位置に配置したヒンジ部を中心として折畳むことが可能なベッド本体と、ヒンジ部を中心として折畳んだベッド本体の一方側の領域部分および他方側の領域部分の開き角度を保持する保持具とを備え、該保持具は、ヒンジ部を中心として折畳んだベッド本体の一方側の領域部分と他方側の領域部分を構成するフレーム部どうしに渡されて前記一方側の領域部と他方側の領域部との開き角度を保持するよう構成され、前記保持具は、前記両フレーム部のうち少なくとも一方のフレーム部の側面に回動可能に装着されていることを特徴としている。
【０００９】
上記構成によれば、保持具はフレーム部の側面に回動可能に装着されているから、ヒンジ部を中心として折畳んだベッド本体の一方側の領域部分および他方側の領域部分の開き角度が確実に保持されるとともに、保持具そのものがフレーム部の側面に保持される。
【００１０】
本考案の折畳みベッドでは、保持具は板状に形成されて一方のフレーム部の側面に支軸を介して装着され、保持具の長手方向途中部分に、他方のフレーム部の側面に設けられた係止ピンに上方から係止する被係止凹部が形成されている構成を採用することができる。
【００１１】
上記構成によれば、係止ピンにその上方から被係止凹部が係合するよう回動させることで、保持具が、一方側の領域部分と他方側の領域部分のフレーム部どうしに渡された状態が保持される。
【００１２】
本考案の折畳みベッドでは、保持具の長手方向途中部分に、前記保持具を装着したフレーム部の側面に設けられた係止ピンに側方から係止する被係止凹部が形成されている構成を採用することができる。
【００１３】
上記構成によれば、係止ピンにその側方から被係止凹部が係止するよう回動させることで、保持具がフレーム部の側面に保持される。
【００１４】
本考案の折畳みベッドでは、保持具に、該保持具を回動させる動作を補助するための把持部が設けられている構成を採用することができる。この構成によれば、把持部を把持することで、保持具を回動させ易い。
【００１５】
本考案の折畳みベッドでは、保持具は、フレーム部におけるヒンジ部寄りに設けられている構成を採用することができる。この構成によれば、ヒンジ部を中心として折畳んでベッド本体を立てた際に、保持具は操作がし易い位置にある。
【００１６】
本考案の折畳みベッドでは、保持具は、各フレーム部の側面に設けられている構成を採用することができる。この構成によれば、保持具は各フレーム部の側面に回動可能に装着されているから、ヒンジ部を中心として折畳んだベッド本体の一方側の領域部分および他方側の領域部分の開き角度が確実に保持される。
【００１７】
本考案の折畳みベッドでは、フレーム部には、スノコが設けられている構成を採用することができる。この構成によれば、ヒンジ部を中心として折畳んだベッド本体の風通しが良好である。
【考案の効果】
【００１８】
本考案の折畳み式ベッドによれば、保持具はフレーム部の側面に回動可能に装着されているから、ヒンジ部を中心として折畳んだベッド本体の一方側の領域部分および他方側の領域部分の開き角度を確実に保持することができるとともに、保持具そのものがフレーム部の側面に保持されるから、保持具を失うことがなく、保管も不要である。
【図面の簡単な説明】
【００１９】
【図１】本考案の一実施形態に係る折畳み式ベッドの使用姿勢を表す斜視図である。
【図２】同折畳み式ベッドを折畳んだ一態様の斜視図である。
【図３】同折畳み式ベッドにおいて、一方側の領域部分および他方側の領域部分を所定の開き角度で折畳む際の保持具の操作手順を表す斜視図である。
【図４】同折畳み式ベッドにおいて、一方側の領域部分および他方側の領域部分を所定の開き角度で折畳んだ状態の斜視図である。
【考案を実施するための形態】
【００２０】
以下、本考案の一実施形態に係る折畳み式ベッドを、図１ないし図４に基づいて説明する。これらの図に示すように、折畳み式ベッド１はベッド本体２と、スノコ（簀子）３と、保持手段４とを備えている。
【００２１】
図１に示すように、ベッド本体２は、フレーム５と、フレーム５に取付けられた脚部材とを備えている。フレーム５は人体の身長に沿う方向である丈方向Ｈ中心に設けたヒンジ部６を介して、丈方向Ｈに一対で設けた一方側のフレーム部７（一方側の領域部分）と他方側のフレーム部８（他方側の領域部分）を連結することで、ヒンジ部６が上になるように折畳み可能に構成されている。
【００２２】
各フレーム部７，８は金属材料から形成され、折畳み式ベッド１の使用姿勢である開いた状態において、これを平面視すると、それぞれコ字形に形成されている。そして、各フレーム部７，８のヒンジ部側端部が前記ヒンジ部６に連結されて、全体として矩形枠状に形成されている。
【００２３】
ベッド本体２の使用姿勢において、脚部材は、折畳み式ベッド１を使用する使用者の下半身側でフレーム５（一方のフレーム部７）を支える一方の脚部材１０と、使用者の上半身側でフレーム５（他方のフレーム部８）を支える他方の脚部材１１と、フレーム５を丈方向Ｈ中間部で支える中間の脚部材９とから構成されている。
【００２４】
一方の脚部材１０は、下部にキャスター１２を備えている。このキャスター１２は、一方の脚部材１０にベッド本体２の丈方向Ｈに延びる支持杆１５の端部に配置されている。
【００２５】
他方の脚部材１１は下側を開放した門型に形成され、下部にキャスター１３が取付けられている。ベッド本体２の使用姿勢において、他方の脚部材１１の上部は、フレーム５の上面に配置したスノコ３よりも上方に突出するよう設けられ、脚部材１１を構成する両側の脚部１１Ａは渡し部材１６によって一体的に連結されている。また、他方の脚部材１１の脚部１１Ａの高さ方向中間位置には、別のキャスター１４が取付けられている。なお、中間の脚部材９は、上側を開放した門型に形成されている。また、スノコ３は、フレーム５と略同幅に形成された板部材を、フレーム５上に複数枚平行に並べて固定することで構成されている。
【００２６】
前記保持手段４は、他方側のフレーム部８の両側の側面２０に設けられた保持具２１と、一方側のフレーム部７の両側の側面２２に設けられた第一係止ピン２３と、他方側のフレーム部８の両側の側面２０に設けられた第二係止ピン２４とから構成されている。第一係止ピン２３は、側面２２から、側面２２に直交する方向に突出して形成されている。
【００２７】
第一係止ピン２３は、側面２２の幅方向略中央に配置されている。第二係止ピン２４は、側面２０から、側面２０に直交する方向に突出して形成されている。第二係止ピン２４は、側面２２の幅方向中央部に対して、位置ずれして配置されている。
【００２８】
図２および図３に示すように、保持具２１は、側面２０に形成された支軸部材２５回りに回動（回転）自在に装着されている。この支軸部材２５は側面２０のヒンジ部６寄りに配置されており、したがって、保持具２１もまた、ヒンジ部６寄りに配置されている。
【００２９】
保持具２１は、金属材料から略長楕円形状の板状に形成されている。この板幅は側面２０の幅を超えないよう形成されており、保持具２１が側面２０に沿った姿勢でも、保持具２１は側面２０からはみ出さないようになっている。保持具２１はその板面２１ａの長手方向途中に、支軸部材２５回りの回動操作の補助をするための把持部２６が形成されている。把持部２６は板面２１ａから、板面２１ａに直交する方向に突出するよう形成されている。
【００３０】
保持具２１の長手方向側部には、保持具２１を支軸部材２５回りに回動することで第一係止ピン２３に係止する第一被係合凹部２７と、第二係止ピン２４に係止する第二被係合凹部２８とが形成されている。第一被係合凹部２７と第二被係合凹部２８とは、保持具２１の反対側の側部に形成されるとともに、保持具２１の長手方向で位置ずれして配置されている。
【００３１】
第一係止ピン２３は、後述するように、ヒンジ部６を介して一方側のフレーム部７と他方側のフレーム部８を折畳んだ際に、フレーム部７，８どうしを所定の開き角度で保持する際に用いられる。また、第二係止ピン２４は保持具２１を側面２０に沿わせて保持する際に用いられる。
【００３２】
第一係止ピン２３と第二係止ピン２４とでは、ヒンジ部６からの離間距離が異なっており、第一係止ピン２３のほうが、第二係止ピン２４に比べてヒンジ部６寄りに位置している。支軸部材２５と第一係止ピン２３は、ほぼヒンジ部６から等距離に配置されている。
【００３３】
図２ないし図４に示すように、折畳み式ベッド１は、これを収納するためには、折畳むことが行われる。このとき、図２に示すように、一方側のフレーム部７と他方側のフレーム部８がそれぞれ床面に対して略垂直になるように折畳む場合と、図３および図４に示すように、一方側のフレーム部７と他方側のフレーム部８とが所定の開き角度をもって、床面に対して傾斜して折畳む場合とを選択することができる。
【００３４】
図２に示すように、ヒンジ部６を中心にして、一方側のフレーム部７と他方側のフレーム部８のスノコ３どうしが背中合わせに折畳む場合では、ヒンジ部６が上になり、キャスター１２，１４が床面に接触して、折畳み式ベッド１が床面上で自立するようになっている。なお、折畳み式ベッド１の使用姿勢および図２の自立姿勢では、保持手段４を用いる必要がないため、保持具２１はその第二被係合凹部２８を第二係止ピン２４に係止して、保持具２１を側面２０に沿わせておく。
【００３５】
図３および図４に示すように、一方側のフレーム部７と他方側のフレーム部８とが所定の開き角度をもって、床面に対して傾斜して折畳む場合の用い方として、蒲団Ｆを、各フレーム部７，８に亘るように掛けることで蒲団Ｆを乾燥させる場合がある。
【００３６】
一方側のフレーム部７と他方側のフレーム部８とを所定の開き角度をもって折畳む場合には、折畳み式ベッド１の自立状態を保持できるように、保持手段４を用いる。ここでその手順を説明する。まず、一方側のフレーム部７と他方側のフレーム部８とを、ほぼ所定の開き角度となるように開いておく。
【００３７】
次に、図３に示すように、使用者（その手を符号Ｎで示している）が把持部２６を把持して、保持具２１の第二被係合凹部２８を第二係止ピン２４から外すように、保持具２１を支軸部材２５回りに回動する。使用者はさらに保持具２１を支軸部材２５回りに回動して、第一被係合凹部２７を第一係止ピン２３の上方から係止させる。
【００３８】
ここで、一方側のフレーム部７と他方側のフレーム部８とは、ほぼ所定の開き角度となるように開いてあるだけなので、第一被係合凹部２７が第一係止ピン２３に合致しなければ、第一被係合凹部２７が第一係止ピン２３に合致するように、一方側のフレーム部７と他方側のフレーム部８との開き角度を微調整する。
【００３９】
第一被係合凹部２７が第一係止ピン２３に合致して係止すれば、一方側のフレーム部７と他方側のフレーム部８の開き角度は固定され、一方側のフレーム部７と他方側のフレーム部８はその位置で安定する。なお、保持手段４は、折畳み式ベッド１の両側に設けてあるから、保持具２１の操作は折畳み式ベッド１の両側で行う。
【００４０】
そしてフレーム部７，８どうしの開き角度が固定されると、蒲団Ｆを各フレーム部７，８に亘るように掛けてもその重さでフレーム部７，８どうしが開いてしまうこともない。また、フレーム部７，８どうしは所定の開き角度で開いているから風通しが良好で、蒲団Ｆを乾燥させ易い。
【００４１】
折畳み式ベッド１を使用姿勢とするには、使用者は、把持部２６を把持して第一被係合凹部２７と第一係止ピン２３の係合を外せばよい。そして、さらに保持具２１を支軸部材２５回りに回動して、第二被係合凹部２８を第二係止ピン２４に係止することで、保持具２１を側面２０に保持することができる。このため、保持具２１を失うことがない。このため、保持具２１を特別な場所に保管しておく手間も不要である。
【００４２】
本考案は、上記実施形態に限定されず、本考案の範囲内で多くの変更が可能である。例えば、保持手段４を設ける位置（例えばヒンジ部６からの離間位置）は特定されず、保持手段４を設ける位置に応じて、フレーム部７，８どうしの開き角度を変更することができる。また、上記実施形態では、保持手段４を金属材料から形成したがこれに限定されず、高硬度の合成樹脂、木材等によって形成することも可能である。
【符号の説明】
【００４３】
１…折畳み式ベッド、２…ベッド本体、３…スノコ４…保持手段、５…フレーム、６…ヒンジ部、７，８…フレーム部、２０…側面、２１…保持具、２１ａ…板面、２２…側面、２３…第一係止ピン、２４…第二係止ピン、２５…支軸部材、２６…把持部、２７…第一被係合凹部、２８…第二被係合凹部
【図１】
0003164271.tif 000003
【図２】
0003164271.tif 000004
【図３】
0003164271.tif 000005
【図４】
0003164271.tif 000006